【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
下層である硬い弾性材料の第一層に、この第一層よりも上層である柔らかい弾性材料の第二層を積層して成型した多層構造のインソールであって、
前記第一層は、
足裏の全周囲の縁の内側となる足裏周縁内側領域とこの足裏の全周囲の縁とを含む大きさの形状にされ、
足裏を受ける側には、前記足裏の全周囲の縁を囲む大きさの凹部が形成され、この凹部の立ち上がり部分が第一層側外縁部とされて前記足裏の足裏周縁内側領域を受ける第一層側足受部が形成されており、
前記第一層側足受部の横幅は、足の前足部、中足部、後足部の各々の横幅に対応して増減されており、
前記第一層側外縁部は、
前記第一層側足受部側となる内壁が、前記各々の前記足裏における縁に略対応する曲面にされて前記足裏の縁を受けるようにされ、かつ外壁が前記足裏の縁を超える外側位置にされて、前記内壁と当該第一層の外壁とでなす横断面が略半山形状にされ、
前記略半山形状は、その横幅及び高さが前記各々に対応する領域に応じて増減されており、
前記前足部に対応する領域は、その第一層側外縁部の高さが前記中足部、前記後足部の各々の領域よりも低くされ、その内壁の前記曲面が最も緩やかな傾斜にされ、
前記第二層は、
前記全周囲の前記第一層側外縁部の頂の全てを覆って、かつ足の３アーチを形成させるための凸部を成型して前記第一層に積層されて前記第一層側外縁部上に形成された第二層側外縁部で前記足裏の縁を受けると共に、前記第一層側足受部の上に存在する第二層側足受部で前記足裏の足裏周縁内側領域を受ける
ようにされていることを特徴とする多層構造のインソール。
【請求項２】
前記第一層の前記第一層側足受部は、
前記前足部に対応する領域が薄くされ、かつ横幅が最大にされ、
前記中足部に対応する領域が次第に厚み増加され、かつ横幅が次第に狭くされて前記３アーチの横アーチ用のしずく型の凸部の後端付近から略一定幅にされ、
前記後足部に対応する領域は、前記中足部の領域に対応する厚みから次第に薄くされて踵の後端付近から次第に厚みが増加され、かつ横幅が踵の中央付近に対応する領域から狭くされ、
前記第二層側足受部は、
前記前足部に対応する領域は、前記第一層の前足部に対応する領域の厚み程度にされ、
前記中足部に対応する領域は、次第に厚みが増加され、
前記後足部に対応する領域は、厚みが略一定にされて踵の中央付近で薄くされて次第に厚みが増加され、
ていることを特徴とする請求項１記載の多層構造のインソール。
【請求項３】
前記第一層側外縁部は、
前記第一層側足受部とは逆方向に横幅が増加させられていることを特徴とする請求項１又は２記載の多層構造のインソール。
【請求項４】
前記後足部における前記第一層側外縁部は、
高さが後足部の後端で最大になるようにされていることを特徴とする請求項１乃至３のいずれかに記載の多層構造のインソール。
【請求項５】
前記第一層は、コルクゴムであり、
前記第二層は、
発砲ゴムを前記第一層の上に加硫形成していることを特徴とする請求項１乃至４のいずれかに記載の多層構造のインソール。
【請求項６】
前記第一層は、ウレタン樹脂を前記硬い弾性材料の硬度にして成型していることを特徴とする請求項１記載の多層構造のインソール。
【請求項７】
前記第二層は、ウレタン樹脂を熱圧着して形成していることを特徴とする請求項１記載の多層構造のインソール。
【請求項８】
前記第二層は、
さらに、表層として通気性のあるスポンジ材を圧着していることを特徴とする請求項１記載の多層構造のインソール。
【請求項９】
前記表層には、さらに通気性のある素材からなる最上位層部材を圧着していることを特徴とする請求項８記載の多層構造のインソール。
【手続補正２】
【補正対象書類名】明細書
【補正対象項目名】００１３
【補正方法】変更
【補正の内容】
【００１３】
下層である硬い弾性材料の第一層に、この第一層よりも上層である柔らかい弾性材料の第二層を積層して成型した多層構造のインソールであって、
【手続補正３】
【補正対象書類名】明細書
【補正対象項目名】００１４
【補正方法】変更
【補正の内容】
【００１４】
前記第一層は、
足裏の全周囲の縁の内側となる足裏周縁内側領域とこの足裏の全周囲の縁とを含む大きさの形状にされ、
足裏を受ける側には、前記足裏の全周囲の縁を囲む大きさの凹部が形成され、この凹部の立ち上がり部分が第一層側外縁部とされて前記足裏の足裏周縁内側領域を受ける第一層側足受部が形成されており、
【手続補正４】
【補正対象書類名】明細書
【補正対象項目名】００１５
【補正方法】変更
【補正の内容】
【００１５】
前記第一層側足受部の横幅は、足の前足部、中足部、後足部の各々の横幅に対応して増減されており、
【手続補正５】
【補正対象書類名】明細書
【補正対象項目名】００１６
【補正方法】変更
【補正の内容】
【００１６】
前記第一層側外縁部は、
前記第一層側足受部側となる内壁が、前記各々の前記足裏における縁に略対応する曲面にされて前記足裏の縁を受けるようにされ、かつ外壁が前記足裏の縁を超える外側位置にされて、前記内壁と当該第一層の外壁とでなす横断面が略半山形状にされ、
【手続補正６】
【補正対象書類名】明細書
【補正対象項目名】００１７
【補正方法】変更
【補正の内容】
【００１７】
前記略半山形状は、その横幅及び高さが前記各々に対応する領域に応じて増減されており、
【手続補正７】
【補正対象書類名】明細書
【補正対象項目名】００１８
【補正方法】変更
【補正の内容】
【００１８】
前記前足部に対応する領域は、その第一層側外縁部の高さが前記中足部、前記後足部の各々の領域よりも低くされ、その内壁の前記曲面が最も緩やかな傾斜にされ、
【手続補正８】
【補正対象書類名】明細書
【補正対象項目名】００１９
【補正方法】変更
【補正の内容】
【００１９】
前記第二層は、
前記全周囲の前記第一層側外縁部の頂の全てを覆って、かつ足の３アーチを形成させるための凸部を成型して前記第一層に積層されて前記第一層側外縁部上に形成された第二層側外縁部で前記足裏の縁を受けると共に、前記第一層側足受部の上に存在する第二層側足受部で前記足裏の足裏周縁内側領域を受ける
ようにされていることを要旨とする。
【手続補正９】
【補正対象書類名】明細書
【補正対象項目名】００２２
【補正方法】変更
【補正の内容】
【００２２】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【手続補正１０】
【補正対象書類名】明細書
【補正対象項目名】００３７
【補正方法】変更
【補正の内容】
【００３７】
また、「足裏の央部」とは、「足裏の周縁部」のその内側の部分のことをいう（足裏周縁部内側部分ともいう）。つまり、「足裏の央部に対応する足受部」とは、足裏の周縁部のその内側でのインソールの部分のことである。「足裏の央部に対応する足受部」は足裏が直接に接するインソールの領域であるともいえる。ただし、土ふまずに対応する領域などもこの足受部に含まれる。
【手続補正１１】
【補正対象書類名】図面
【補正対象項目名】図１
【補正方法】変更
【補正の内容】
【図１】
2014028323.tif 000001
【手続補正１２】
【補正対象書類名】図面
【補正対象項目名】図７
【補正方法】変更
【補正の内容】
【図７】
2014028323.tif 000002
【手続補正１３】
【補正対象書類名】図面
【補正対象項目名】図８
【補正方法】変更
【補正の内容】
【図８】
2014028323.tif 000003